(57)【要約】      （修正有）【課題】ゴルフボール、グリーンフォークを収納し、また冬期には使い捨てカイロを装着でき、プレーヤーのズボン又はスカートのポケットに収納できるゴルフ用品携行ホルダーを提供する。【解決手段】ゴルフ用品携行ホルダーの表面に柔軟性のある素材にて筒状に組まれた予備球収納部を設ける。予備球収納口は縁の周りにゴム等でボールより若干小さめに絞ったゆるい巾着状にする。表面材１０に裏打ち材１１を縫製又は接着し、その間にグリーンフォークＣの収納部５を設ける。また同時にスペーサ９を取り付け、グリーンフォークＣを収納しやすくすると同時に落下防止対策をおこなう。防寒対策として使い捨てカイロが必要な場合のためにゴルフ用品携行ホルダーの体に接する側に、必要に応じ使い捨てカイロを収納するための収納袋を装着するためのマジックテープ（登録商標）を具備した収納部を設ける。【選択図】図４
2013090712.tif 000002
【特許請求の範囲】
【請求項１】
ゴルフボール、グリーンフォークのゴルフ用品及び使い捨てカイロを携行するためのホルダー１であり、ズボン、またはスカートのポケットに収納することを特徴とするゴルフ用品携行ホルダー。
【請求項２】
請求項１のゴルフ用品携行ホルダー1の表面に筒状または袋状になった予備球収納部３を設けた構造をもつゴルフ用品携行ホルダー。
【請求項３】
請求項２の予備球収納部３の予備球収納口４の縁の周りを、ゴム紐等でボールより若干小さめに絞ったゆるい巾着状にする構造をもつゴルフ用品携行ホルダー。
【請求項４】
請求項１のゴルフ用品携行ホルダー1の内部にグリーンフォークＣを収納するための収納部を設けた構造をもつゴルフ用品携行ホルダー。
【請求項５】
請求項３のグリーンフォーク収納スペースはごみの滞留を防ぐための開口を設けた構造をもつゴルフ用品携行ホルダー。
【請求項６】
請求項１のホルダー１の体に接する側に使い捨てカイロＧを収納できるようにし、必要に応じ着脱を可能にした構造をもつゴルフ用品携行ホルダー。
【発明の詳細な説明】
【技術分野】
【０００１】
この発明はゴルフ用品携行ホルダーに関するものである。さらに詳しくは、この発明はゴルフプレー時におけるゴルフボール、グリーンフォーク、冬季はその他に使い捨てカイロ等の用品をプレーの邪魔にならないように携行し、また取り出しやすくするものである。併せて鋭利な部分をもつグリーンフォークから身を守るのと同時に、ティベッグやグリーンフォークによる使い捨てカイロの破損でおこる中身飛散事故を防止するものである。
【背景技術】
【０００２】
ゴルフをプレーする際、プレーに使用するプレー球Ａ、ＯＢ等によって紛失した場合に備えた予備球Ｂ1〜２球、グリーンフォークＣ、ドライバー用及びアイアン、フェアウェーウッドまたはユーティティ用ティベッグＤ数本、ボールマーカーＥ、冬場はその他に使い捨てカイロＧを携行することがのぞましく、通常ズボン又はスカートのポケットに入れて持ち歩いている。ボールにおいてはプレー球ＡにＯＢのおそれがある場合、予備球Ｂによる暫定球にてプレーを続行するが、プレーヤーは常に現在プレーしているボールを認識していなければならない。プレー球Ａと予備球Ｂがポケットの中で混在していては、今プレーしているボールがどのボールだったかわからなくなってしまうことがおきやすい。とくにグリーン上で拾い上げたプレー球が予備球Ｂと入れ替わってしまった場合は重大な違反となり、２打罰を課されてしまうことになる。
【０００３】
また、グリーンフォークＣやティベッグＤは地面に刺して使うことから先が鋭利な形状になっており、ポケットの破損や、場合によっては何らかの衝撃により貫通して脚に怪我を負う危険性もはらんでいる。同様に使い捨てカイロＧを同じポケットにいれていた場合、袋が破損して中身の真っ黒な鉄粉が露出し悲惨な状況になる。
【先行技術文献】
【特許文献】
【０００４】
【特許文献１】特開２０１０−０９４４６９
【特許文献２】登録実用新案第３１１９５３６
【特許文献３】実用新案公開平６−００５６５７
【発明の概要】
【発明が解決しようとする課題】
【０００５】
特許文献１に関しては、ゴルフボール、ティベッグ、マーカーを、特許文献２、３は更にグリーンフォークを加えたゴルフ用品を携行しやすいように１つのホルダーにまとめ、ズボンまたはスカートのベルトに装着して使用するとある。
問題点としては
【０００６】
（イ）腰部分の背中側以外の側部や前部に装着した場合、プレーに支障がでるため、背中に近い側面のベルトに装着することが多いとおもわれ、右利きのプレーヤーの場合、右後ろポケット付近に装着したほうが使い勝手がいいと思われるが、通常該当するポケットにはスコアカードを入れることが多く、お互いに干渉して使いづらい。左利きプレーヤーの場合はその逆の現象となる。
【０００７】
（ロ）雨天時、レインウェアを着用した際はレインウェアの中に装着することになるため用品の出し入れがしづらい。
【０００８】
（ハ）ホルダーをベルトの背中に近い側面に装着することのプレースタイルに抵抗感を覚えるプレーヤーもいると聞く。
【０００９】
（ニ）ゴルフボール、ティベッグ、マーカー、グリーンフォーク等それぞれ所定の位置に装着する必要があるが、ホルダーが直接見えない背中に近い側面への装着のためそれぞれ所定の位置への収納が難しい。  
【課題を解決するための手段】
【００１０】
（１）ゴルフボール予備球Ｂ、グリーンフォークＣ、冬季は使い捨てカイロＧ等の用品を収納し、携行するためのホルダーを図１のようにプレーヤーのズボン又はスカートのポケットに収納して使用することを特徴とするゴルフ用品携行ホルダー1を考案する。
【００１１】
（２）図２はゴルフ用品携行ホルダー１に各用品を収納する位置の概要を説明した図である。
【００１２】
ゴルフボールの予備球Ｂ１〜２個、グリーンフォークＣを各々収納できるようにそれぞれのスペースを設けている。プレー球Ａ１個とティベッグＤ、マーカーＥはゴルフ用品携行ホルダー１と同じポケットにそのまま収納することを想定している。また、ゴルフ用品携行ホルダー１の体に接する側には使い捨てカイロＧの収納袋装着スペースを設けている。ゴルフ用品携行ホルダー1はクリップ２aにてズボン又はスカートのポケット入り口縁から吊り下げられる形状になっている。
【００１３】
このクリップ２aは着脱式とし、クリップ２ｂのように左ポケットに対応するように左右どちらにも取り付けられるようにして、左右兼用としてもよい。
【００１４】
（３）図３は使い捨てカイロ収納部の説明図である。
使い捨てカイロＧはゴルフ用品携行ホルダー１の裏面である体に接する側に着脱可能な収納袋の中に入れて使用する。その収納袋にはマジックテープ  オス8が、ゴルフ用品携行ホルダー1裏面にはマジックテープ  メス７が装着されていて、必要に応じて取り付けられるようになっている。
【００１５】
（４）図４はグリーンフォーク収納部の分解説明図である。
表面材１０と裏打ち材１１によって収納部が形成される。グリーンフォークはその使い道上土や泥が付着しやすく、そのまま収納した場合収納部の内部に土や泥が溜まりやすくなる。それを解決するために図４にハッチングで示すように下部はおこなわず両サイドのみを縫製または接着１２とし、下部を開口状態にし、混入した砂や泥が滞留しないようにしている。またスペーサ９を取り付けることにより、グリーンフォークが収納しやすくなると同時にグリーンフォークの落下防止対策がなされている。
【００１６】
（５）図５は手の大きなプレーヤーやポケット入り口が小さい場合、予備球をポケット底部に保管する場合の説明図である。図２の構造では入り口部分の一部を塞ぐことになるため、手の大きなプレーヤーやポケットが小さい場合は使いづらい。そのような場合は予備球収納部を大きくして、ポケットの底付近に保管部を設けてもよい。
【発明の効果】
【００１７】
プレーヤーは特許文献１、２乃至３のようなホルダーを利用しない場合、プレー球Ａ、予備球Ｂ、グリーンフォークＣ、ティベッグＤ、マーカーＥを混在してひとつのポケットに収納または、予備球ＢやグリーンフォークＣを別のポケットに収納して携行している。
本発明により、
【００１８】
（１）自由に使用できるボールは１つに限定できるので、プレー球Ａが認識しやすく、重大な違反の危険性を回避できる。
【００１９】
（２）鋭利な部分を持つグリーンフォークＣを直接ポケットに収納しなくてもよくなり、ポケットの破損や、場合によっては何らかの衝撃により貫通して脚に怪我を負う危険性もなくなり、またポケットの穴あき等の破損リスクが大幅に軽減できる。
【００２０】
（３）冬期のプレーでは使い捨てカイロＧの携行は不可欠であるが、グリーンフォークＣやティベッグの入っているポケットには破損して中身が飛散するリスクがあるため、入れてプレーすることを躊躇せざるをえなかった。しかしこのホルダー１を使うことでグリーンフォークＣと使い捨てカイロＧが隔離され、また使い捨てカイロは収納袋に入っているため、ティベッグＤの影響をうけにくくなり、該当ポケットに入れても問題なくなる。また該当ポケット以外はフリーな状態が保てるため、使い捨てカイロを左右のポケットに入れるなど、複数個携行することができ、防寒対策が向上する。
【図面の簡単な説明】
【００２１】
【図１】ゴルフ用品携行ホルダーをプレーヤーのポケットに装着する方法を説明した図である。
【図２】ゴルフ用品携行ホルダー１に各用品を収納する位置と方法の概要を説明した図である。
【図３】ゴルフ用品携行ホルダー１の裏面の使い捨てカイロ収納部の説明図である。
【図４】グリーンフォークＣ収納部の分解説明図である。
【図５】手の大きなプレーヤーやポケット入り口が小さい場合、予備球をポケット底部に保管する場合の説明図である。
【発明を実施するための形態】
【００２２】
以下本発明を実施するための形態について説明する。
皮革または化繊、帆布等の素材にてズボンのポケットに収まるゴルフ用品携行ホルダー1を設ける。そのゴルフ用品携行ホルダー1には柔軟性のある素材にて筒状になった予備球収納部３を設ける。入口の予備球収納口４の開口確保と安易なボールの流出を防止するため、予備球収納口４の入口部分の縁の周りにゴム等を埋め込み、ボールの外形より若干小さめのゆるい巾着状にする。
【００２３】
予備球収納部３を含む表面材１０に裏打ち材１１を取り付け、その間をグリーンフォークＣの収納部とする。その際縫製または接着を両サイドのみとし、下部にごみの滞留を防ぐための開口を確保する。同時に当該部分にスペーサ９を埋め込みグリーンフォークＣの収納性を向上させると同時にグリーンフォークＣの落下防止の役割を持たせる。
【００２４】
ゴルフ用品携行ホルダー１の体に接する側に使い捨てカイロを収納するための収納部を設ける。ここに装着する使い捨てカイロ収納袋はマジックテープによって着脱可能にする。使い捨てカイロ収納袋の素材はメッシュ状のものがのぞましい。
【符号の説明】
【００２５】
Ａ    ゴルフボール  プレー球
Ｂ    ゴルフボール  予備球
Ｃ    グリーンフォーク
Ｄ    ティベッグ
Ｅ    ボールマーカー
Ｆ    ズボン  ポケット
Ｇ    使い捨てカイロ
１    ゴルフ用品携行ホルダー
２a   クリップ右用取り付け状態
２ｂ  クリップ左用取り付け状態
３    予備球収納部
４    予備球収納口
５    グリーンフォーク収納口
６    使い捨てカイロ収納袋
７    マジックテープ  メス
８    マジックテープ  オス
９    スペーサ
１０  表面材
１１  裏打ち材
１２  縫製又は接着部
【図１】
2013090712.tif 000003
【図２】
2013090712.tif 000004
【図３】
2013090712.tif 000005
【図４】
2013090712.tif 000006
【図５】
2013090712.tif 000007